(57)【要約】【課題】  複数台の表示装置を用いた表示の際、表示装置と外部機器との通信において、通信速度が低下したとき、映像を表示するタイミングのずれを防止することが可能な表示装置を提供する。【解決手段】  上記目的を解決するために、本発明は、外部装置と通信可能な表示装置であって、前記外部装置と通信可能な第１の通信手段と、他の表示装置と通信可能な第２の通信手段と、前記第１の通信手段と前記第２の通信手段を制御する制御手段と、を有し、  前記制御手段は、前記第１の通信手段の通信速度である第１の通信速度が所定の速度未満の場合、前記他の表示装置が前記外部装置から受信したデータを、前記第２の通信手段により受信することを特徴とする。【選択図】  図１
2018084751.tif 000002
【特許請求の範囲】
【請求項１】
外部装置と通信可能な表示装置であって、
前記外部装置と通信可能な第１の通信手段と、
他の表示装置と通信可能な第２の通信手段と、
前記第１の通信手段と前記第２の通信手段を制御する制御手段と、
を有し、
前記制御手段は、
前記第１の通信手段の通信速度である第１の通信速度が所定の速度未満の場合、
前記他の表示装置が前記外部装置から受信したデータを、前記第２の通信手段により受信する
ことを特徴とする表示装置。
【請求項２】
前記制御手段は、
前記他の表示装置の前記外部装置との通信速度である第２の通信速度が前記所定の速度以上の場合、前記他の表示装置が前記外部装置から受信したデータを、前記第２の通信手段により受信する
ことを特徴とする請求項１に記載の表示装置。
【請求項３】
前記第１の通信手段は無線通信手段であり、
前記第２の通信手段は前記第１の通信手段とは異なる無線通信手段または有線通信手段である、
ことを特徴とする請求項１または２に記載の表示装置。
【請求項４】
前記制御手段は、
前記第１の通信手段の通信速度を所定の回数取得し、取得した複数の前記通信速度の最小値または平均値を、前記第１の通信速度とすることを特徴とする請求項１乃至３の何れか一項に記載の表示装置。
【請求項５】
前記制御手段は、
前記外部装置から受信したデータの一部を、前記第２の通信手段により受信することを特徴とする請求項１乃至４の何れか一項に記載の表示装置。
【請求項６】
前記表示装置は、前記第１の通信手段により受信したデータと前記第２の通信手段により受信したデータから、所定の時間内に前記外部装置から送信されたデータを復元可能である
ことを特徴とする請求項１乃至５の何れか一項に記載の表示装置。
【請求項７】
前記制御手段は、
前記第１の通信速度が前記所定の速度以上で、前記第２の通信速度が前記所定の速度未満の場合、前記外部装置から受信したデータを、前記第２の通信手段により前記他の表示装置に送信する
ことを特徴とする請求項２乃至６の何れか一項に記載の表示装置。
【請求項８】
前記所定の速度は、前記外部装置から送信されるデータを所定の時間内に受信可能な通信速度であることを特徴とする請求項１乃至７の何れか一項に記載の表示装置。
【請求項９】
外部装置と通信可能で、前記外部装置と通信可能な第１の通信手段と、他の表示装置と通信可能な第２の通信手段とを有する表示装置のコンピュータに、前記第１の通信手段と前記第２の通信手段を制御させるコンピュータプログラムであって、
前記コンピュータに、
前記第１の通信手段の通信速度である第１の通信速度が所定の速度未満の場合、前記他の表示装置が前記外部装置から受信したデータを、前記第２の通信手段により受信させることを特徴とする表示装置制御プログラム。
【請求項１０】
複数の表示装置を用いて画像を表示する表示システムであって、
第１の表示装置と、
第２の表示装置と、
前記第１の表示装置と前記第２の表示装置を制御する制御装置と、を有し、
前記第１の表示装置は、前記制御装置及び前記第２の表示装置と通信可能であり、
前記第２の表示装置は、前記制御装置及び前記第１の表示装置と通信可能であり、
前記制御装置は、
前記第１の表示装置と前記制御装置の通信速度である第１の通信速度が所定の速度以上で、前記第２の表示装置と前記制御装置の通信速度である第２の通信速度が所定の速度未満の場合、
前記第２の表示装置に、前記第１の表示装置が前記制御装置から受信したデータを、前記第１の表示装置から受信させる
ことを特徴とする表示システム。
【発明の詳細な説明】
【技術分野】
【０００１】
本発明は、表示装置に関し、特に複数台の表示装置を使用する際の制御に関するものである。
【背景技術】
【０００２】
近年、プロジェクションマッピングに代表されるような、複数のプロジェクタを組み合わせて１つの映像を構成する映像表現が広く普及している。
【０００３】
このように複数台の表示装置を用いて表示システムを構築する場合、個々のプロジェクタやディスプレイ等の表示装置と映像出力装置から映像データを伝送するケーブルを敷設することが多かった。一方、情報機器間のデータ通信手段として、今まで有線通信でしか実現できなかった通信速度を、無線通信でも実現できるようになってきている。
【０００４】
特許文献１には、複数のプロジェクタに無線通信で映像データを配信する際、複数の送信アンテナをあらかじめ定められたタイミングで切り替えることで、特定のプロジェクタに通信品質の劣化による影響が集中しないようにする技術が開示されている。
【先行技術文献】
【特許文献】
【０００５】
【特許文献１】特開２０１３−１５３４１７号公報
【発明の概要】
【発明が解決しようとする課題】
【０００６】
例えば、前述した複数台の表示装置を用いた表示において、複数の表示装置と映像出力装置との間を個々に無線通信で接続しようとすると、狭いエリア内に複数台の表示装置、すなわち無線送受信器が配置されることになる。従って、複数の無線通信が確立することになり、無線通信が混信し、映像出力装置と表示装置との間の通信速度が低下する場合があった。また、表示装置の設置状態によっては、表示装置の周囲の障害物の影響などで無線通信の電波強度が低下し、映像出力装置と表示装置との間の通信速度が低下する場合があった。
【０００７】
上述の特許文献１では、時分割で複数のプロジェクタと送信機の接続状態を切り替えているが、切り替えるためのオーバーヘッドが発生し、通信速度は低下する。また、時分割で切り替えているため、複数台の表示装置を用いた表示においては、個々のプロジェクタのデータ受信タイミングが異なり、表示している映像にずれが生じてしまう。
【０００８】
そこで、本発明の目的は、複数台の表示装置を用いた表示の際、表示装置と外部機器との通信において、通信速度が低下したとき、映像を表示するタイミングのずれを防止することが可能な表示装置を提供することである。
【課題を解決するための手段】
【０００９】
上記目的を解決するために、本発明は、外部装置と通信可能な第１の通信手段と、他の表示装置と通信可能な第２の通信手段と、前記第１の通信手段と前記第２の通信手段を制御する制御手段と、を有し、前記制御手段は、前記第１の通信手段の通信速度である第１の通信速度が所定の速度未満の場合、前記他の表示装置が前記外部装置から受信したデータを、前記第２の通信手段により受信することを特徴とする。
【発明の効果】
【００１０】
本発明によれば、複数台の表示装置を用いた表示の際、表示装置と外部機器との通信において、通信速度が低下したとき、映像を表示するタイミングのずれを防止することが可能な表示装置を提供することができる。
【図面の簡単な説明】
【００１１】
【図１】実施例１における表示装置のブロック図
【図２】実施例１における表示装置
【図３】実施例１におけるスタック表示システム
【図４】実施例１におけるフローチャート
【図５】実施例２における表示装置のブロック図
【図６】実施例２における表示装置
【図７】実施例２におけるスタック表示システム
【図８】実施例２におけるフローチャート
【図９】実施例２におけるフローチャート
【図１０】実施例２におけるフローチャート
【発明を実施するための形態】
【００１２】
以下、図面を参照して本発明を実施するための形態について説明する。
【実施例１】
【００１３】
本発明の実施例１について、図１乃至図４を用いて説明する。なお、本実施例では表示装置として単板式の透過型プロジェクタを例に説明する。
【００１４】
図２に本発明の実施例１におけるプロジェクタ（表示装置）を示す。１０１はプロジェクタ本体、１０２は投射レンズである。投射レンズ１０２は複数のレンズから成り、ズーム機構がついているため、投影画像を任意の大きさに変更できる。１０３は電源ボタン、１０４は設定画面を呼び出すためのメニューボタン、１０５は映像信号の入力先を選択するボタン、１０６はメニュー画面で選択決定を行なうボタンである。１０７〜１１０はＯＳＤ画面上で上下左右方向にメニュー選択をするためのボタンである。
【００１５】
１１１は音声入力端子、１１２は音声出力端子である。１１３はデジタル映像信号入力端子、１１４はアナログ映像信号入力端子、１２１はＡＣインレットであり、外部の商用電源とケーブルで接続する。１２０はプロジェクタ内の熱を冷却するための外気を取り込む吸気口である。
【００１６】
図１は本発明の実施例１におけるプロジェクタのブロック図である。
【００１７】
映像処理マイコン２０１は、外部の映像信号出力機器からアナログまたはデジタルのフォーマットで入力された映像信号をプロジェクタの液晶パネルの解像度にスケーリング処理や色補正するためのワンチップ型のマイコンである。
【００１８】
映像信号処理マイコン２０１は、デジタル映像入力端子１１３、またはアナログ映像入力端子１１４からの映像入力を検知すると、入力された映像信号をデジタル信号の場合はデコード、アナログ信号の場合はＡ／Ｄ変換を行う。映像入力信号の解像度判定をした上で、液晶パネル２０７に適した表示解像度になるように解像度変換（スケーリング）を行ない、液晶パネルドライバ２１１に所定のフォーマットで映像データを伝送する。映像信号処理マイコン２０１では、上記以外にガンマ補正や台形補正、色ムラ補正等の処理を行うこともできる。
【００１９】
液晶パネル（画像表示素子）２０７は液晶パネルドライバ２１１より映像データ信号、制御信号を受信し、映像を表示するデバイスである。
【００２０】
制御マイコン２０３は、操作ボタン１０３〜１１０、冷却ファン２１２、ランプ２１６を点灯制御するランプ制御回路２１３、筐体内の温度を検知する温度センサー２１４など、プロジェクタ内蔵のセンサー、およびアクチュエータ全体を制御する。
【００２１】
制御マイコン２０３は、操作ボタン１０３〜１１０からズーム制御の指示を受けるとモータドライバ２１０に制御信号を送信し、ズームモータ２１５を駆動して投射レンズ１０２を制御する。
【００２２】
温度センサー２１４は、ランプ２１６周辺部に取り付けられており、制御マイコン２０３が温度センサー２１６からの出力値を判定して、冷却ファン２１４を制御し風量を調整する。フォーカスモータ２０９は、投射レンズ１０２のフォーカスレンズを駆動するためのモータである。制御マイコン２０３がＡＦセンサー２０８の出力値から駆動量を算出し、モータドライバ２１０を制御して、フォーカスモータ２０９を駆動する。
【００２３】
ネットワーク制御マイコン２０２は、無線ＬＡＮモジュール２２１（第１の通信手段）、近接無線通信モジュール２２２（第２の通信手段）を制御する。また、受信した信号を処理し、映像信号処理マイコン２０１、または制御マイコン２０３で処理できる信号に変換する。
【００２４】
無線ＬＡＮモジュール２２１を通じて、ＰＣなどの制御機器や他のプロジェクタ、映像出力機器とネットワーク接続することができる。また、ネットワーク制御マイコン２０２は、近接無線通信モジュール２２２を通じて他のプロジェクタと直接データの送受信ができるように処理する。また、無線ＬＡＮモジュール２２１と近接無線モジュール２２２は異なる無線規格から成り、相互に混信しないものを選定する。
【００２５】
ＡＣ電源２２０は、プロジェクタ１０１のＡＣ−ＤＣ電源変換するための電源であり、商用電源からプロジェクタ１０１で使用するＤＣ電源を生成する。ランプ制御回路２１３は、制御マイコン２０３からの制御により、ランプ２１６の点灯に必要な高電圧を生成する。不揮発性のメモリ２０５、不揮発性のメモリ２１８は、それぞれ接続先のマイコンのプログラム、および設定用のデータを格納している。揮発性メモリ２０６、揮発性メモリ２１９は、例えばＤＲＡＭなどであり、投影画像のフレームバッファや、それぞれ接続先のマイコンの演算用バッファとして使用される。
【００２６】
音声処理部２０４は、音声入力端子１１１から入力された音声信号や映像信号処理マイコン２０１からの音声信号をスピーカ２１７や音声出力端子１１２に出力する。冷却ファン２１２は、制御マイコン２０３からの制御信号に基づき、ランプ２１６やＡＣ電源２２０を冷却する。
【００２７】
図３に本実施例におけるプロジェクタを複数台使用した表示システムを示す。本実施例では図３に示すように３台のプロジェクタを使用した、所謂スタック表示を例として説明をする。
【００２８】
固定台３０３上にプロジェクタ３００〜３０２を３台配置し、それぞれのプロジェクタからの投影像を重ね合わせて１つの投影像３０４を投影（表示）する。
【００２９】
ＰＣ３０６（外部装置）は映像出力装置であり、無線ＬＡＮで映像データをプロジェクタに送信することができる。無線ＬＡＮルータ３０５は、ＰＣ３０６、プロジェクタ３００〜３０２と無線ＬＡＮネットワークを構築するために使用する。
【００３０】
プロジェクタ３００〜３０２の、それぞれのネットワーク制御マイコン２０２は、無線ＬＡＮルータ３０５と接続する際、電波の送受信レベルに応じて通信速度を自動的に調整する。
【００３１】
また、プロジェクタ３００〜３０２は、無線ＬＡＮと規格が異なる別の近接無線通信モジュール２２２によって相互に通信できる状態にある。
【００３２】
ここで、各プロジェクタ３００〜３０２がそれぞれ無線ＬＡＮルータ３０５を経由しＰＣ３０６と通信を行うと、それぞれの無線通信が混信し、通信速度が低下することがある。また、固定台３０３や固定台を支えている柱３０７やなどの影響により、電波強度の減衰や反射による電波干渉が発生することがあり、その場合、電波の送受信レベルが低下し、やはり通信速度が低下する。
【００３３】
このように、プロジェクタを複数台使用した表示システムでは、各プロジェクタの設置状態により、一部のプロジェクタとＰＣ３０６との通信速度が低下することがある。ＰＣ３０６から送信される通信データを受信するために必要な通信速度（所定の速度）を満たしていないと、そのプロジェクタの表示が遅延し、他のプロジェクタとの表示タイミングがずれ、正常に表示できない。
【００３４】
そこで、本実施例では、通信速度を満たしていないプロジェクタが、近距離無線通信を使用し、通信速度を満たしているプロジェクタがＰＣ３０６から受信したデータを受信する。これにより、通信速度を満たしていないプロジェクタが、無線ＬＡＮで受信することができなかったデータを補完することで本来のデータを復元し、他のプロジェクタとの表示タイミングのずれを抑制することができる。
【００３５】
これらの近接無線通信は無線ＬＡＮより近距離のデータ通信に限定されるが、使用する周波数の帯域を数十個のチャネルに分割し、電波状況に応じて其々のチャネルを所定の時間毎に切り替える周波数ホッピングや電波干渉距離が短いなどの利点を持っている。従って、プロジェクタをスタック配置した状態においても、近接無線通信によるプロジェクタ相互の無線通信での混信や電波干渉は抑制されている。
【００３６】
図４のフローチャートを用いて本実施例のネットワーク制御マイコン２０２の動作を説明する。本処理は、ＣＰＵやＩＣ等のコンピュータとして構成されたネットワーク制御マイコン２０２により、コンピュータプログラムである表示装置制御プログラムに従って実行される。なお、本実施例では、ＰＣ３０６から送信されるデータが映像データであるとして説明する。
【００３７】
Ｓ４００は、通信エラーの発生回数をカウントするカウンターをゼロにリセットする。
【００３８】
Ｓ４０１は、無線ＬＡＮモジュール２２１の設定を行い、無線ＬＡＮルータ３０５に接続し、近接無線通信モジュール２２２の設定を行い、他のプロジェクタと相互に通信可能な状態にする。
【００３９】
Ｓ４０２は、無線ＬＡＮルータ３０５に接続する際、電波の受信レベルに応じて自動的に調整された無線ＬＡＮ通信の通信速度（第１の通信速度）を無線ＬＡＮモジュール２２１から取得する。通信速度は、所定の回数取得し、取得した複数の通信速度の最小値や平均値を用いてもよい。
【００４０】
Ｓ４０３は、Ｓ４０２で取得した通信速度が所定の速度以上か否かを確認する。所定の速度は、安定して映像伝送可能な通信速度が設定される。つまり、表示するタイミング（所定の時間内）で、遅延なく映像データを表示することが可能な通信速度である。所定の速度は、予め不揮発性メモリ２１９に記憶していてもよいし、ＰＣ３０６から取得してもよい。所定の速度以上の場合、Ｓ４０７に遷移し、所定の速度未満の場合、Ｓ４０４へ遷移する。
【００４１】
Ｓ４０４は、他のプロジェクタにおける無線ＬＡＮ通信の通信速度（第２の通信速度）を、近接無線通信を使用して取得する取得する。ここでは、近接無線通信を使用して取得したが、無線ＬＡＮ通信を使用して取得してもよい。
【００４２】
Ｓ４０５は、他のプロジェクタの無線ＬＡＮの通信速度が、所定の速度以上か否かを確認する。所定の速度以上の場合、Ｓ４０６に遷移し、所定の速度未満の場合、Ｓ４１０へ遷移する。
【００４３】
Ｓ４０６に遷移した場合、無線ＬＡＮの通信速度は所定の通信速度未満である。所定の通信速度未満であるため、無線ＬＡＮでは、所定の時間内に受信できない一部の映像データが発生する。所定の時間内に一部の映像データを受信できない場合、受信した映像データを表示するタイミングが他の通信速度が所定の通信速度以上のプロジェクタの表示タイミングとずれてしまう。そこで、所定の時間内に受信できない一部の映像データを、近接無線により他のプロジェクタから受信する。これにより、無線ＬＡＮでは、所定の時間内に受信できない映像データを補完することができ、映像データを表示するタイミングのずれを防止することができる。映像データを補完したあと、Ｓ４１３へ遷移する。
【００４４】
Ｓ４０７は、所定の通信速度以上の通信速度で通信可能なため、無線ＬＡＮでＰＣ３０６から送信される映像データを受信する。
【００４５】
Ｓ４０８は、他のプロジェクタから近接無線を使用した通信があるか否かを確認する。通信がある場合、Ｓ４０９へ遷移し、通信がない場合、Ｓ４１３へ遷移する。
【００４６】
Ｓ４０９は、他のプロジェクタの無線ＬＡＮの通信速度が所定の通信速度未満であるため、無線ＬＡＮで受信した映像データの一部を、近接無線により他のプロジェクタに送信する。
【００４７】
Ｓ４１０は、他のプロジェクタも含め、無線ＬＡＮの通信速度が所定の通信速度未満であるため、エラーカウンタをインクリメントし、Ｓ４１１へ遷移する。
【００４８】
Ｓ４１１は、エラーカウンタが所定の閾値（γ）以上か否かを確認する。所定の閾値未満の場合、Ｓ４０２へ遷移する。Ｓ４０２で、再度、無線ＬＡＮの通信速度を取得する。このとき、無線ＬＡＮの通信接続を一旦切断し、再接続してから無線ＬＡＮの通信速度を取得してもよい。所定の閾値以上の場合、Ｓ４１２へ遷移する。
【００４９】
Ｓ４１２は、他のプロジェクタも含めて無線ＬＡＮの通信速度が所定の閾値未満のため、安定して映像伝送することができない。そこで、制御マイコン２０３または映像処理マイコン２０１に通知し、ユーザに、プロジェクタの設置状態や障害物などがないか等、無線ＬＡＮ通信に障害が発生している可能性がある旨の警告を表示させる。
【００５０】
Ｓ４１３は、受信した映像データを映像処理マイコン２０１へ送信し、受信した映像データを表示させる。
【００５１】
以上説明したように、複数台の表示装置を用いた所謂スタック表示の際、無線ＬＡＮ通信の通信速度が低下したとき、近接無線により他の表示装置から映像データを受信することで、映像データを表示するタイミングのずれを防止することができる。
【実施例２】
【００５２】
本発明の実施例２について、図５乃至１０を用いて説明する。
【００５３】
図６に本発明の実施例２におけるプロジェクタ、図５にブロック図を示す。実施例１との相違点は、図５、図６に示すように、近接無線通信モジュール２２２に代わり有線ＬＡＮ接続端子１１７を用いて有線ＬＡＮ接続を行う点と、スタック投影に代わりマルチ投影になった点である。なお実施例１と重複する構成に関しては実施例１と同じ符号を付け、適宜説明を省略する。
【００５４】
図５に示すように、ネットワーク制御マイコン２０２（第２の通信手段）は、無線ＬＡＮモジュール２２１（第１の通信手段）に加え、有線ＬＡＮ接続端子１１７からの通信を受信する。受信した信号を処理し、映像信号処理マイコン２０１、または制御マイコン２０３で処理できる信号に変換する。有線ＬＡＮ接続端子１１７や無線ＬＡＮモジュール２２１を通じて、ＰＣなどの制御機器や他のプロジェクタ、映像出力機器とネットワーク接続することができる。
【００５５】
図７に本実施例におけるプロジェクタを複数台使用したマルチ表示装置システムを示す。本実施例では６台のプロジェクタに個々に別々の映像を投影させ、システム全体として１つの投影像を構成する、マルチ投影（表示）である。
【００５６】
固定台６２２上に６台のプロジェクタ６１０〜６１５を設置し、各プロジェクタに対応する投影像６００〜６０５を投影面上で重畳部分を設けて表示させ、１つの投影像６０６を投影する。
【００５７】
プロジェクタ６１０〜６１５の、それぞれのネットワーク制御マイコン２０２は、無線ＬＡＮルータ３０５と接続する際、電波の送受信レベルに応じて通信速度を自動的に調整する。本実施例では、プロジェクタ６００がマスター、その他のプロジェクタがスレーブとして設定されているものとする。
【００５８】
プロジェクタ６１０〜６１５は無線ＬＡＮとは別に、有線ＬＡＮケーブル６１６〜６２１によってネットワークＨＵＢ６３０と接続し、無線ＬＡＮとは別に有線ＬＡＮによりプロジェクタ相互の通信を行うことができる。
【００５９】
まず、図８のフローチャートを用いて本実施例のマスターのプロジェクタ６１０のネットワーク制御マイコン２０２の動作を説明する。本処理は、ＣＰＵやＩＣ等のコンピュータとして構成されたネットワーク制御マイコン２０３により、コンピュータプログラムである表示装置制御プログラムに従って実行される。また、第１の実施例と同じ符号の説明は省略する。
【００６０】
Ｓ８００は、無線ＬＡＮモジュール２２１の設定を行い、無線ＬＡＮルータ３０５に接続し、有線ＬＡＮの設定を行い、他のプロジェクタと相互に通信可能な状態にする。
【００６１】
Ｓ８０１は、ＰＣ３０６から、システム全体として１つの投影像を構成する際、１台あたりのプロジェクタの必要な無線ＬＡＮの通信速度Ｖを取得する。
【００６２】
Ｓ８０２は、無線ＬＡＮの通信速度と、他のプロジェクタ６１１〜６１５の無線ＬＡＮの通信速度を取得する。通信速度は、所定の回数取得し、取得した複数の通信速度の最小値や平均値を用いてもよい。
【００６３】
Ｓ８０３は、Ｓ８０１で取得したＶと、各プロジェクタの無線ＬＡＮの通信速度を比較する。
【００６４】
比較した結果、全てのプロジェクタの無線ＬＡＮの通信速度の和が、Ｖ×設置台数（本実施例の場合６）よりも小さい場合、現在の通信速度では、安定して映像伝送することができないので、Ｓ４１０へ遷移する。全てのプロジェクタの無線ＬＡＮの通信速度の和が、Ｖ×設置台数よりも大きい場合、Ｓ８０４へ遷移する。
【００６５】
Ｓ８０４は、Ｖと、各プロジェクタの無線ＬＡＮの通信速度から、有線ＬＡＮ通信の設定を確認する。
【００６６】
全てのプロジェクタの無線ＬＡＮの通信速度が、Ｖよりも大きい場合、現在の無線ＬＡＮの通信速度で、各々のプロジェクタで映像データを受信可能である。従って、有線ＬＡＮの設定は行わない。Ｖを満たさないプロジェクタがある場合は、図９に示すフローに従って動作する。
【００６７】
ステップ８４０は、プロジェクタのグループ分割数ｍを初期値１に設定する。
【００６８】
ステップ８４１は、各グループ内において最大通信速度で通信可能なプロジェクタを選定し、その通信速度をＶｍ＿ｍａｘ（ｍはグループ番号）とする。
【００６９】
ステップ８４２は、各グループ内において必要な無線ＬＡＮの通信速度を満たさないプロジェクタの通信データを補完するのに必要な通信速度の総和Ｚｍ（ｍはグループ番号）を計算する。
【００７０】
ステップ８４３は、（Ｖｍ＿ｍａｘ−Ｖ）≧Ｚｍ  （式１）が成立するかどうかを判定する。
【００７１】
成立する場合、最大通信速度で通信可能なプロジェクタで補完することが可能である。従って、Ｖに満たないプロジェクタが、最大通信速度で通信可能なプロジェクタから、有線ＬＡＮで補完データを受信するように設定する。
【００７２】
成立しない場合、ステップ８４４へ遷移し、グループ分割数をインクリメントする。最大通信速度で通信可能なプロジェクタのグループと、次に通信速度が高いプロジェクタのグループに分け、ステップ８４１へ遷移する。グループ分けしたグループ内それぞれにおいて、ステップ８４１からのステップが実行される。
【００７３】
ここで、例えば、プロジェクタ６１０〜６１５がそれぞれ、５０Ｍｂｐｓ、２０Ｍｂｐｓ、１０Ｍｂｐｓ、４５Ｍｂｐｓ、３０Ｍｂｐｓ、５Ｍｂｐｓの通信速度で、無線ＬＡＮルータ３０５と接続され、Ｖ＝２５Ｍｂｐｓとした場合について説明する。
【００７４】
まずプロジェクタ６１０が選定され、Ｖ１＿ｍａｘ＝７５Ｍｂｐｓとなる。
【００７５】
次に、Ｖ（２５Ｍｂｐｓ）に満たないプロジェクタは３台（それぞれ２０Ｍｂｐｓ、１５Ｍｂｐｓ、１０Ｍｂｐｓ）であるため、Ｚ１＝３０Ｍｂｐｓとなる。
【００７６】
式（１）は（５０−２５）＜３０となり満たさない。従って、グループ数を２として、図７に示すようにプロジェクタ６１０〜６１２のグループ１と、プロジェクタ６１３〜６１５のグループ２に分ける。
【００７７】
グループ分けした後、同様に確認すると、グループ１は（５０−２５）＞２０、グループ２は（４５−２５）＞２０となり、式１を満たす。従って、プロジェクタ６１１、プロジェクタ６１２が、プロジェクタ６１０から、有線ＬＡＮで補完データを受信するように設定する。また、プロジェクタ６１５が、プロジェクタ６１３から、有線ＬＡＮで補完データを受信するように設定する。
【００７８】
ステップ８０５は、ステップ８０４で確認した有線ＬＡＮの設定を各スレーブのプロジェクタとＰＣ３０６に通知し、マスタープロジェクタの有線ＬＡＮを確認結果に従って設定する。
【００７９】
次に、図１０のフローチャートを用いて本実施例のスレーブのプロジェクタ６１１〜６１５のネットワーク制御マイコン２０２の動作を説明する。本処理は、ＣＰＵやＩＣ等のコンピュータとして構成されたネットワーク制御マイコン２０３により、コンピュータプログラムである表示装置制御プログラムに従って実行される。また、マスタープロジェクタと同じ符号の説明は省略する。
【００８０】
ステップ９００は、無線ＬＡＮの通信速度をマスタープロジェクタに通知する。通知は有線ＬＡＮでも無線ＬＡＮの何れでも通知できる。
【００８１】
ステップ９０１は、マスタープロジェクタから、通信設定を受信する。
【００８２】
ステップ９０２は、マスタープロジェクタから受信した通知設定に従って、有線ＬＡＮを設定する。
【００８３】
以上説明したように、複数台の表示装置を用いた所謂マルチ表示の際、無線ＬＡＮ通信の通信速度が低下したとき、有線ＬＡＮにより他の表示装置から映像データを受信することで、映像データを表示するタイミングのずれを防止することができる。
【００８４】
以上、本発明の好ましい実施形態について説明したが、本発明はこれらの実施形態に限定されず、その要旨の範囲内で種々の変形及び変更が可能である。
【００８５】
また、実施例１において、近接無線通信に代わり、実施例２のように有線通信を用いてもよい。
【００８６】
また、実施例２において、有線通信に代わり、実施例１のように近接無線通信を用いてもよい。
【００８７】
また、透過型液晶パネルとして説明したが、反射型液晶パネルやＤｉｇｉｔａｌ  Ｍｉｒｒｏｒ  Ｄｅｖｉｃｅなどを用いることもできる。
【００８８】
また、単板式の透過型プロジェクタとして説明したが、液晶パネル（画像表示素子）が複数あってもよいし、直視型の表示装置を用いてもよい。
【符号の説明】
【００８９】
２０２  ネットワーク制御マイコン
２２１  無線ＬＡＮモジュール
２２２  近接無線通信モジュール
【図１】
2018084751.tif 000003
【図２】
2018084751.tif 000004
【図３】
2018084751.tif 000005
【図４】
2018084751.tif 000006
【図５】
2018084751.tif 000007
【図６】
2018084751.tif 000008
【図７】
2018084751.tif 000009
【図８】
2018084751.tif 000010
【図９】
2018084751.tif 000011
【図１０】
2018084751.tif 000012